(57)【要約】【課題】最大印面サイズの異なる印刷ドラムが複数装着された孔版印刷装置において原稿データを分版して印刷するときに印刷物に不自然な境目の発生や必要なオブジェクトが印刷されないといった問題を未然に防止すること。【解決手段】印刷ジョブに含まれる印刷データ作成条件に基づき、面付けなし印刷、割付印刷、集約印刷の何れの印刷かを判断し、さらに印刷物が単色又は多色かを判断した上で、プリンタドライバを読み込んで分版処理プログラムを実行する。そして、原稿データ内のオブジェクトが最も小さい版サイズの印刷ドラムの印面に収まらず、このオブジェクトのはみ出し範囲が予め設定されたはみ出し許容値以内であると判断したときは、オブジェクトをこの印刷ドラムの印面に収まるように移動して分版処理した印刷データを作成する。【選択図】図２
2015123595.tif 000002
【特許請求の範囲】
【請求項１】
最大印面サイズ及びインク色の異なる印刷ドラムを複数装着した孔版印刷装置に供給される印刷データを生成する印刷データ作成装置であって、
原稿データの出力サイズが、前記孔版印刷装置に装着される印刷ドラムのうち最も小さい版サイズの印刷ドラムの印面サイズよりも大きいときに前記原稿データ内のオブジェクトの座標位置を取得する座標位置取得手段と、
前記座標位置取得手段で取得した前記オブジェクトの座標位置が、前記最も小さい版サイズの印刷ドラムの印面内に収まっているか否かを判断し、前記オブジェクトの位置が前記最も小さい版サイズの印刷ドラムの印面内に収まっていないと判断されたときに、前記最も小さい版サイズの印刷ドラムの印面からはみ出した前記オブジェクトのはみ出し範囲が、予め設定されたはみ出し許容値以内であるか否かを判断する判断処理手段と、
前記判断処理手段において前記オブジェクトのはみ出し範囲が前記はみ出し許容値以内であると判断されたときに、前記最も小さい版サイズの印刷ドラムの印面に収まるように前記オブジェクトを移動して分版処理するオブジェクト分版手段と、
前記オブジェクト分版手段で分版処理された前記原稿データを基に、前記最も小さい版サイズの印刷ドラムとそれ以外の印刷ドラムとで分版して印刷させるための印刷データを作成する印刷データ作成手段と、
を有する制御部を備えたことを特徴とする印刷データ作成装置。
【請求項２】
前記印刷データ作成手段は、前記判断処理手段で前記オブジェクトのはみ出し範囲が前記はみ出し許容値を超えたと判断されたときに、前記オブジェクトが印面に収まる印刷ドラムで印刷する印刷データを作成することを特徴とする請求項１記載の印刷データ作成装置。
【請求項３】
最大印面サイズ及びインク色の異なる印刷ドラムを複数装着した孔版印刷装置に供給される印刷データをコンピュータに生成させる印刷データ作成プログラムであって、
前記コンピュータを、
原稿データの出力サイズが、前記孔版印刷装置に装着される印刷ドラムのうち最も小さい版サイズの印刷ドラムの印面サイズよりも大きいときに前記原稿データ内のオブジェクトの座標位置を取得する座標位置取得手段と、
前記座標位置取得手段で取得した前記オブジェクトの座標位置が、前記最も小さい版サイズの印刷ドラムの印面内に収まっているか否かを判断し、前記オブジェクトの位置が前記最も小さい版サイズの印刷ドラムの印面内に収まっていないと判断されたときに、前記最も小さい版サイズの印刷ドラムの印面からはみ出した前記オブジェクトのはみ出し範囲が、予め設定されたはみ出し許容値以内であるか否かを判断する判断処理手段と、
前記判断処理手段において前記オブジェクトのはみ出し範囲が前記はみ出し許容値以内であると判断されたときに、前記最も小さい版サイズの印刷ドラムの印面に収まるように前記オブジェクトを移動して分版処理するオブジェクト分版手段と、
前記オブジェクト分版手段で分版処理された前記原稿データを基に、前記最も小さい版サイズの印刷ドラムとそれ以外の印刷ドラムとで分版して印刷させるための印刷データを作成する印刷データ作成手段と、
して機能させることを特徴とする印刷データ作成プログラム。
【発明の詳細な説明】
【技術分野】
【０００１】
本発明は、最大印面サイズの異なる印刷ドラムを複数装着可能な孔版印刷装置において所望の印刷ジョブ内容に応じて適切な印刷ドラムで印刷可能な印刷データを作成する印刷データ作成プログラム及び印刷データ作成装置に関する。
【背景技術】
【０００２】
従来から、画像読取装置で原稿をスキャンして読み取った画像データ若しくはＰＣ（personal computer ）等の外部端末から送信される画像データを基に感熱孔版原紙（以下、「マスタ」と称する）を製版し、この製版したマスタを印刷ドラム（以下、単に「ドラム」と称する）に巻装し、製版済みのマスタと記録媒体となる用紙とを圧接させた状態でドラム内部からインクを滲出させてマスタに製版した画像を用紙に印刷する孔版印刷装置が知られている。
【０００３】
また、下記特許文献１には、孔版印刷処理として単色の印刷物を多量に片面印刷するだけでなく、例えば単色又は多色の両面印刷処理、原稿内のオブジェクトの色指定や変更したいエリアを色指定して行う多色刷り処理等の多彩な印刷処理を実施可能とするため、複数のドラムが装置内に装着可能な孔版印刷装置について開示されている。
【先行技術文献】
【特許文献】
【０００４】
【特許文献１】特開２０１１−１２６０６９号公報
【発明の概要】
【発明が解決しようとする課題】
【０００５】
ところで、特許文献１に開示される装置を含む従来の複数ドラムを装着する装置は、装着されるドラムの最大印面サイズ（言い換えると、ドラム面に形成されたインク透過領域で印刷可能な最大の用紙サイズ）が同一サイズのドラムが装着される。例えば、Ａ４用紙が最大印刷サイズのドラムは「Ａ４ドラム」、Ａ３用紙が最大印刷サイズであれば「Ａ３ドラム」となる。そして、Ａ４用紙では短手方向を、Ａ３用紙では長手方向を搬送方向に沿って搬送し、所定の印刷ドラムに圧接して印刷処理を施している。
【０００６】
そのため、例えばＡ３サイズのドラムを装着した装置でＡ４用紙に印刷する場合、マスタをドラム全体に巻装させなければならず、用紙サイズとドラムの最大印面サイズを比較すると未穿孔の領域が半分を占めることになり無駄にマスタを消費していた。
【０００７】
そこで、本願出願人は、このような使用するドラムと用紙のサイズ違いによるマスタの無駄を省くようにするため、汎用性を持たせるべく外形寸法を統一して最大印面サイズのみが異なるドラムを装着させ、用紙サイズに応じた適切なドラムを装着する装置の開発に着手したが、装置の開発にあたり本装置独自の問題点を認識するようになった。
【０００８】
すなわち、従来の装置であれば、対象となるオブジェクトを色指定によって分版処理（原稿中の画像をオブジェクト単位で分け、各オブジェクトの位置に応じて印刷ドラムに分ける処理）したとしても、同サイズの印刷ドラムを搭載しているため、オブジェクト毎に分版され、図１２（ａ）に示すような印刷物を得ることができる。
【０００９】
しかしながら、今回開発を進める新機種では、Ａ４サイズの印刷ドラムとＡ３サイズの印刷ドラムを備えた装置であるため、原稿データを色指定によって単純に分版してしまうと、図１２（ｂ）に示すように、色指定したオブジェクトがＡ４サイズの印刷ドラムの最大印面サイズを超えた位置に存在する原稿データを単純に色指定によって分版してしまうと、途中で不自然な境界が発生して印刷物の品質が低下するという問題があった。
【００１０】
そこで、本発明は上記問題点に鑑みてなされたものであり、最大印面サイズの異なる印刷ドラムを複数装着した孔版印刷装置において、原稿の画像データからオブジェクトを抽出して原稿に応じた適切な分版処理を実行させる印刷データ作成プログラム及び印刷データ作成装置を提供することを目的とするものである。
【課題を解決するための手段】
【００１１】
上記した目的を達成するため、請求項１記載の印刷データ作成装置は、最大印面サイズ及びインク色の異なる印刷ドラムを複数装着した孔版印刷装置に供給される印刷データを生成する印刷データ作成装置であって、
原稿データの出力サイズが、前記孔版印刷装置に装着される印刷ドラムのうち最も小さい版サイズの印刷ドラムの印面サイズよりも大きいときに前記原稿データ内のオブジェクトの座標位置を取得する座標位置取得手段と、
前記座標位置取得手段で取得した前記オブジェクトの座標位置が、前記最も小さい版サイズの印刷ドラムの印面内に収まっているか否かを判断し、前記オブジェクトの位置が前記最も小さい版サイズの印刷ドラムの印面内に収まっていないと判断されたときに、前記最も小さい版サイズの印刷ドラムの印面からはみ出した前記オブジェクトのはみ出し範囲が、予め設定されたはみ出し許容値以内であるか否かを判断する判断処理手段と、
前記判断処理手段において前記オブジェクトのはみ出し範囲が前記はみ出し許容値以内であると判断されたときに、前記最も小さい版サイズの印刷ドラムの印面に収まるように前記オブジェクトを移動して分版処理するオブジェクト分版手段と、
前記オブジェクト分版手段で分版処理された前記原稿データを基に、前記最も小さい版サイズの印刷ドラムとそれ以外の印刷ドラムとで分版して印刷させるための印刷データを作成する印刷データ作成手段と、
を有する制御部を備えたことを特徴とする。
【００１２】
請求項２記載の印刷データ作成装置は、請求項１記載の印刷データ作成装置において、前記印刷データ作成手段は、前記判断処理手段で前記オブジェクトのはみ出し範囲が前記はみ出し許容値を超えたと判断されたときに、前記オブジェクトが印面に収まる印刷ドラムで印刷する印刷データを作成することを特徴とする。
【００１３】
請求項３記載の印刷データ作成プログラムは、最大印面サイズ及びインク色の異なる印刷ドラムを複数装着した孔版印刷装置に供給される印刷データをコンピュータに生成させる印刷データ作成プログラムであって、
前記コンピュータを、
原稿データの出力サイズが、前記孔版印刷装置に装着される印刷ドラムのうち最も小さい版サイズの印刷ドラムの印面サイズよりも大きいときに前記原稿データ内のオブジェクトの座標位置を取得する座標位置取得手段と、
前記座標位置取得手段で取得した前記オブジェクトの座標位置が、前記最も小さい版サイズの印刷ドラムの印面内に収まっているか否かを判断し、前記オブジェクトの位置が前記最も小さい版サイズの印刷ドラムの印面内に収まっていないと判断されたときに、前記最も小さい版サイズの印刷ドラムの印面からはみ出した前記オブジェクトのはみ出し範囲が、予め設定されたはみ出し許容値以内であるか否かを判断する判断処理手段と、
前記判断処理手段において前記オブジェクトのはみ出し範囲が前記はみ出し許容値以内であると判断されたときに、前記最も小さい版サイズの印刷ドラムの印面に収まるように前記オブジェクトを移動して分版処理するオブジェクト分版手段と、
前記オブジェクト分版手段で分版処理された前記原稿データを基に、前記最も小さい版サイズの印刷ドラムとそれ以外の印刷ドラムとで分版して印刷させるための印刷データを作成する印刷データ作成手段と、
して機能させることを特徴とする  して機能させることを特徴とする。
【発明の効果】
【００１４】
請求項１記載の印刷データ作成装置によれば、最大印面サイズ及びインク色の異なる印刷ドラムを複数装着した孔版印刷装置で使用する印刷データを作成する際に、原稿データ内のオブジェクトが最も小さい版サイズの印刷ドラムの印面に収まらないときにオブジェクトのはみ出し範囲が予め設定されたはみ出し許容値以内であると判断すると、このオブジェクトを印刷ドラムの印面に収まるように移動して分版処理した印刷データを作成する制御部を備えているため、原稿データを分版して多色印刷するときに、印刷物に不自然な境目の発生や、必要なオブジェクトが印刷されないといった問題を防止することができる。また、原稿データ内に存在するオブジェクトのはみ出し範囲量に応じて自動的にオブジェクトが移動された印刷データが作成されるため、ユーザは孔版印刷装置に装着される印刷ドラムのドラムサイズを意識することなく良好な印刷物を得ることができる。
【００１５】
請求項２記載の印刷データ作成装置によれば、オブジェクトのはみ出し範囲がはみ出し許容値を超えたと判断したときは、オブジェクトが印面に収まる印刷ドラムで印刷する印刷データを作成するので、版サイズの異なる印刷ドラムの境目にあるオブジェクトが移動できないような場合は、このオブジェクトが印面に収まる版サイズの印刷ドラムで印刷されるため、印刷物に不自然な境目の発生や、必要なオブジェクトが印刷されないといった問題を防止することができるとともに、ユーザは孔版印刷装置に装着される印刷ドラムのドラムサイズを意識することなく良好な印刷物を得ることができる。
【００１６】
請求項３記載の印刷データ作成プログラムによれば、最大印面サイズ及びインク色の異なる印刷ドラムを複数装着した孔版印刷装置で使用する印刷データを生成するにあたり、原稿データ内のオブジェクトが最も小さい版サイズの印刷ドラムの印面に収まらないときに、このオブジェクトのはみ出し範囲が予め設定されたはみ出し許容値以内であると判断すると、オブジェクトをこの印刷ドラムの印面に収まるように移動して分版処理した印刷データをコンピュータに作成させるため、原稿データを分版して多色印刷するときに、印刷物に不自然な境目の発生や、必要なオブジェクトが印刷されないといった問題を防止することができる。また、原稿データ内に存在するオブジェクトのはみ出し範囲量に応じて自動的にオブジェクトが移動された印刷データが作成されるため、ユーザは孔版印刷装置に装着される印刷ドラムのドラムサイズを意識することなく良好な印刷物を得ることができる。
【図面の簡単な説明】
【００１７】
【図１】本発明に係る印刷データ作成プログラムにより作成した印刷データを運用する印刷システムの概略構成図である。
【図２】同システムの機能ブロック図である。
【図３】面付けなし印刷時における分版処理動作を示すフローチャートである。
【図４】単色割付印刷時の処理動作を示すフローチャートである。
【図５】多色割付印刷時の分版処理動作を示すフローチャートである。
【図６】単色集約印刷時の処理動作を示すフローチャートである。
【図７】多色集約印刷時の分版処理動作を示すフローチャートである。
【図８】（ａ）〜（ｄ）は面付けなし印刷分版処理における分版処理を説明するための図である。
【図９】（ａ）〜（ｄ）は割付印刷分版処理における分版処理を説明するための図である。
【図１０】（ａ）〜（ｄ）は集約印刷分版処理における分版処理を説明するための図である。
【図１１】本装置の制御部における他の実施例を示す機能ブロック図である。
【図１２】（ａ）は従来装置で色指定による分版処理を行ったときの印刷物の例を示す図であり、（ｂ）は本装置で色指定による分版処理を行ったときの印刷物の例を示す図である。
【発明を実施するための形態】
【００１８】
以下、本発明を実施するための形態について、添付した図面を参照しながら詳細に説明する。また、この実施の形態によって本発明が限定されるものではなく、この形態に基づいて当業者等により考え得る実施可能な他の形態、実施例及び運用技術等は全て本発明の範疇に含まれるものとする。
【００１９】
なお、本明細書で扱うデータとして、元データとなる原稿データ上に存在する文字や図形等のデータ上で領域分割可能な画像を総称して「オブジェクト」とし、印刷データを作成する上で必要な作成条件（片面／両面印刷設定、単色／多色印刷設定、面付け印刷である割付印刷処理（１つの原稿データを１枚の用紙に複数面割り付けて印刷する処理）、面付け印刷である集約印刷処理（複数枚の原稿データを１枚の用紙に指定されたページ分割り付けて印刷する処理）等）を「印刷データ作成条件」とし、作成された印刷データを印刷する上で必要な設定条件（印刷枚数、出力する用紙サイズ等）を「印刷設定条件」とし、印刷データ作成条件を反映して作成された印刷データと印刷設定条件とを含むジョブ情報を「印刷ジョブ」として定義する。
【００２０】
［印刷システムについて］
図１又は図２に示すように、本例の印刷システム１は、情報処理端末１０と、孔版印刷装置２０とが例えばＬＡＮ等の通信ネットワークを介して通信可能に接続され、原稿に基づきユーザが所望する印刷条件（印刷データ作成条件、印刷設定条件）を設定して作成された印刷ジョブを情報処理端末１０で作成し、この作成した印刷ジョブを孔版印刷装置２０に送信して印刷処理を実施する。
【００２１】
＜情報処理端末について＞
図１又は図２に示すように、情報処理端末１０は、通信部１１と、記憶部１２と、制御部１３と、表示部１４と、入力操作部１５とで構成されるネットワーク通信可能な周知のＰＣ（Personal Computer ）や携帯端末等であり、孔版印刷装置２０との間で通信ネットワークを介して各種データが送受信可能に接続されている。情報処理端末１０は、後述する分版処理プログラムを実行（本例では、プリンタドライバの起動により実行）することで、孔版印刷装置２０に送信される印刷ジョブに含まれる印刷データを、原稿データと印刷データ作成条件とに基づき作成する印刷データ作成装置として機能する。
【００２２】
通信部１１は、ＬＡＮやインターネット（internet）等の各種通信ネットワークを介して孔版印刷装置２０と有線若しくは無線接続するための通信インタフェースで構成され、孔版印刷装置２０が印刷処理時に必要な各種データ（印刷ジョブ等）の送受信を行っている。また、通信部１１は、ＵＳＢメモリ等の各種外部記憶媒体と接続する入出力ポート（Ｉ／Ｏポート）も備えており、作成された印刷ジョブを接続された外部記憶媒体に出力している。
【００２３】
記憶部１２は、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成され、情報処理端末１０を駆動する各種制御情報の他、ＯＳ（Operating System）、元データである原稿データを作成する各種処理プログラムを実行する原稿データ作成用のアプリケーションソフトウェア（文書作成ソフトウェア、表計算ソフトウェア、グラフィックソフトウェア等、以下、単に「原稿データ作成アプリ」と称する）を記憶している。
【００２４】
また、記憶部１２は、最大印面サイズの異なる印刷ドラムが装着された後述する第１印刷部２４、第２印刷部２６を備える孔版印刷装置２０において、原稿データ上のオブジェクト毎に各印刷ドラムに分版して印刷する印刷データを作成するための分版処理プログラム（このプログラムには、分版処理プログラムを実行するか否かを判断するときに実施されるプログラムである「分版処理実行判断プログラム」、面付け印刷を行わず１つの原稿を１枚の用紙に印刷するときに実施されるプログラムである「面付けなし印刷分版処理プログラム」、１つの原稿を１枚の用紙に複数割り付けて印刷するときに実施されるプログラムである「割付印刷分版処理プログラム」、複数枚の原稿を１枚の用紙に集約して印刷するときに実施されるプログラムである「集約印刷分版処理プログラム」が含まれる）を制御部１３に実行させるための印刷データ作成用のソフトウェアであるプリンタドライバを記憶している。なお、本実施例では、分版処理プログラムを実行させるソフトウェアとしてプリンタドライバの例で説明するが、この他、所定のＯＳ上で動作するものであってもよいし、特定のアプリケーションソフトの一部をなすものであってもよい。
【００２５】
プリンタドライバは、印刷データを作成する際に制御部１３に読み込まれると、所定の分版処理プログラムを実行して原稿データ作成アプリで作成されたアプリケーションファイル形式の原稿データをユーザが所望する印刷データ作成条件に沿って所定の処理を行った後、接続される孔版印刷装置２０が解釈可能なページ記述言語（ＰＤＬ）等で記述した印刷コマンドに変換した印刷データが作成される。
【００２６】
また、記憶部１２は、分版処理プログラムを実行する際に、原稿データ内の画像をオブジェクトに分割したときに、このオブジェクトのうち孔版印刷装置２０に装着される小さい版サイズの印刷ドラム（第１印刷ドラム２４ａ）の印面サイズ内に収まらないオブジェクトのはみ出し範囲（はみ出し量）が許容される範囲であるか否かを判断するためのはみ出し許容値（ユーザが任意に設定可）を記憶している。
【００２７】
制御部１３は、例えばＣＰＵ（Central Processing Unit ）やＲＯＭ（Read Only Memory），ＲＡＭ（Random Access Memory）又はこれらの機能を具備するＭＰＵ（Micro-Processing Unit ）等のプロセッサで構成され、記憶部１２に記憶される原稿データ作成アプリやプリンタドライバの起動及び各設定や処理に関する制御、表示部１４における表示内容の表示制御や入力操作部１５の操作指示に伴う各部の制御等、情報処理端末１０を構成する各部の駆動制御を行っている。
【００２８】
また、制御部１３は、印刷データを作成する際にプリンタドライバを読み込み、入力操作部１５からの操作指示に従って原稿データ作成アプリで作成された原稿データを、ユーザが所望する印刷データ作成条件に従って分版処理プログラムを実行して印刷データを作成する印刷データ作成処理手段１３ａを備えている。そして、制御部１３は、印刷データ作成処理手段１３ａで作成された印刷データと、ユーザによって設定された印刷設定条件とを関連付けた印刷ジョブを、出力先となる孔版印刷装置２０に対し通信部１１を介して送信している。
【００２９】
ここで、印刷データ作成処理手段１３ａで実行される分版処理プログラムによる印刷データの作成処理について説明する。
以下の説明では、孔版印刷装置２０に装着される最大印面サイズの異なる印刷ドラムのうち、小さい版サイズの印刷ドラム（最大印面サイズがＡ４用紙のＡ４ドラム）を後述する第１印刷ドラム２４ａとし、大きい版サイズの印刷ドラム（最大印面サイズがＡ３用紙のＡ３ドラム）を後述する第２印刷ドラム２６ａとし、原稿データをＡ３サイズとし、使用する用紙をＡ３用紙とし、割付印刷及び集約印刷では原稿データを用紙１ページに９面割り付け又は集約して印刷する例である。
【００３０】
なお、ここでは、処理内容を明確にするために分版処理実行判別プログラム、面付けなし印刷分版処理プログラム、割付印刷分版処理プログラム、集約印刷分版処理プログラムに分けて説明するが、印刷データ作成処理手段１３ａがプリンタドライバを読み込んで起動させたときは、ユーザが設定した印刷データ作成条件に基づきこれらプログラムを一連の処理として実施する。つまり、面付け印刷の判断、単色／多色印刷の判断、割付印刷／集約印刷の判断等の処理においては、判断後の処理動作が上述した分版処理プログラムの何れかの処理へと移行することになるが、各プログラムで実施される具体的な判断結果に伴う詳細な処理内容や判断手順については、後述する処理動作の段落において図３〜図１０を参照しながら追って説明する。
【００３１】
印刷データ作成処理手段１３ａは、記憶部１２に記憶されたプリンタドライバを読み込むと、原稿作成アプリで作成した原稿データを設定された印刷データ作成条件に従って印刷データを作成するにあたり、まず「分版処理実行判断プログラム」を実行して作成する印刷データに対する分版処理内容を把握した上で、「面付けなし印刷分版処理プログラム」、「割付印刷分版処理プログラム」、「集約印刷分版処理プログラム」の何れかを処理を実行する。
【００３２】
また、印刷データ作成処理手段１３ａは、分版処理実行判断プログラムを実行すると、印刷ジョブの出力先である孔版印刷装置２０に最大印面サイズの異なる印刷ドラムが複数装着されているか否かの判断処理と、原稿データの出力サイズと孔版印刷装置２０に装着される第１印刷ドラム２４ａの印面サイズとの比較処理とを行い、原稿データの出力サイズが第１印刷ドラム２４ａの印面サイズよりも大きいと判断したときに、設定された印刷データ作成条件に基づく適切な分版処理プログラムを実行する。
【００３３】
さらに、印刷データ作成処理手段１３ａは、面付けなし印刷分版処理プログラムを実行すると、原稿データ上にある各オブジェクトの座標位置を取得する処理と、第１印刷ドラム２４ａの印面サイズに収まるか否かを判断する処理と、オブジェクトのはみ出し範囲がはみ出し許容値以内のときに第１印刷ドラム２４ａの印面サイズに収まるように該当するオブジェクトを移動して分版した印刷データを作成する処理と、対象となるオブジェクトのはみ出し範囲がはみ出し許容値を超えているときに分版せずに第２印刷ドラム２６ａで印刷するような印刷データを作成する処理を行う。
【００３４】
また、印刷データ作成処理手段１３ａは、割付印刷分版処理プログラムを実行すると、分版せずに所定の割り付けた原稿データを全て単色印刷する単色割付時の割付印刷データを作成するにあたり、印刷データ上のオブジェクトを１つずつ１面目に配置する処理と、作成した１面目の印刷データを割り付け面数に応じて用紙１ページにおける他の面に複製する処理を行う。
さらに、印刷データ作成処理手段１３ａは、用紙１ページに割り付ける印刷データを分版して多色印刷する多色印刷時の割付印刷データを作成するにあたり、原稿データの割り付け面数に基づき出力する用紙１ページ分の画像データである被印刷用紙画像イメージに対して仮想的に原稿データを割り付ける処理（以下、「仮割り付け処理」と称する）と、仮割り付けした面の各オブジェクトについて第１印刷ドラム２４ａの印面サイズに収まるか否かを判断する処理と、仮割り付けした各原稿データ内にあるオブジェクトのはみ出し範囲がはみ出し許容値以内のときは第１印刷ドラム２４ａの印面サイズに収まるように該当するオブジェクトを移動して分版した印刷データを作成する処理と、仮割り付けした各原稿データ内にあるオブジェクトのはみ出し範囲がはみ出し許容値を超えているときは分版せずに第２印刷ドラム２６ａで印刷するような印刷データを作成する処理を行う。
【００３５】
また、印刷データ作成処理手段１３ａは、集約印刷分版処理プログラムを実行すると、分版せずに用紙１ページに集約する原稿Ｎページ分の印刷データ全て単色印刷する単色印刷時の集約印刷データを作成するにあたり、Ｎページの原稿の１ページ目から順にＮページ分の全ての原稿についてオブジェクトを配置する処理を行う。
さらに、印刷データ作成処理手段１３ａは、原稿Ｎページ分の印刷データを分版して多色印刷する多色印刷時の集約印刷データを作成するにあたり、用紙１ページに割り当てた各原稿データ内にあるオブジェクトのはみ出し範囲がはみ出し許容値以内のときに第１印刷ドラム２４ａの印面サイズに収まるように該当するオブジェクトを移動して分版した印刷データを作成する処理と、各原稿データ内にあるオブジェクトのはみ出し範囲がはみ出し許容値を超えているときは分版せずに第２印刷ドラム２６ａで印刷するような印刷データを作成する処理を行う。
【００３６】
なお、印刷データ作成処理手段１３ａで実行される分版処理プログラムは、孔版印刷装置２０に搭載される印刷ドラムの最大印面サイズが異なる場合に、画像の途中で不自然な境界の発生や画像自体が印刷されないような事態を解消するべく実行される処理プログラムである。従って、原稿データの出力サイズが装着される印刷ドラムのうち小さい版サイズの印刷ドラムで印刷可能な場合は、オブジェクト毎の色合い（濃度）による自動分版処理やユーザの色指定に従い、オブジェクト毎に従来通りの分版処理が実施される。
【００３７】
表示部１４は、液晶ディスプレイ等の表示装置で構成され、制御部１３の制御によって情報処理端末１０を駆動するための各種アプリケーションの処理内容に基づく表示内容、プリンタドライバを起動したときに表示される設定画面等の各種設定画面の表示を行っている。
【００３８】
入力操作部１５は、マウス、キーボード、タッチパネル等の各種ＵＩ（User Interface）装置で構成され、原稿データとなる原稿作成時やプリンタドライバを起動したときの各種設定項目の入力時に操作されると、この操作指示に基づく操作信号を制御部１３に出力している。
【００３９】
［孔版印刷装置について］
図１又は図２に示すように、本例の孔版印刷装置２０は、画像読取部２１と、給紙部２２と、製版部２３と、第１印刷部２４と、反転貯留部２５と、第２印刷部２６と、第１排版部２７と、第２排版部２８と、排紙部２９と、操作設定部３０と、記憶部３１と、制御部３２と、通信部３３とを備えている。
【００４０】
なお、本例の孔版印刷装置２０は、最大印面サイズ（つまり、ドラム面に形成されたインク透過領域で印刷可能な最大の用紙サイズ）が異なる印刷ドラムを装着する印刷部を２つ（第１印刷部２４、第２印刷部２６）を備え、Ａ４用紙が最大印面サイズとなる印刷ドラム（以下、「Ａ４ドラム」と称する）を上流側印刷部である第１印刷部２４に装着し、Ａ３用紙が最大印面サイズとなる印刷ドラム（以下、「Ａ３ドラム」と称する）を下流側印刷部である第２印刷部２６に装着している。
【００４１】
画像読取部２１は、孔版印刷装置２０の上部に設けられ、図示しないが、原稿を載置するコンタクトガラス、このコンタクトガラスに対して接離自在に設けられたカバー、コンタクトガラス上に載置された原稿を走査する走査ユニット、走査された画像を集束するレンズ、及び集束された画像を処理する画像処理部を備え、コンタクトガラス上に載置した原稿から画像を光学的に読み取り、この取り込んだ画像データを画素毎に二値化処理されたデータ（原稿データ）を生成して制御部３２に出力する。
【００４２】
給紙部２２は、用紙が積層される給紙台２２ａと、この給紙台２２ａから最上位置の用紙のみを搬送させる１次給紙ロール２２ｂと、この１次給紙ロール２２ｂによって搬送された用紙を後述する第１印刷部２４の第１印刷ドラム２４ａの回転に同期して第１印刷ドラム２４ａと第１プレスローラ２４ｃ間に搬送する一対の２次給紙ロール２２ｃとを有する。また、給紙台２２ａに搭載される用紙のサイズを示す用紙サイズ情報は、例えば載置される用紙の端部を規制するフェンス部材（サイドフェンス、エンドフェンス）の位置情報等から得られ、記憶部３１に記憶されている。
【００４３】
製版部２３は、図示しないレールによって図１におけるＸ方向に移動自在に支持されており、制御部３２からの制御により、製版するドラム位置に応じてマスタを供給する破線で示した位置と、第２印刷部２６に製版したマスタを供給する実線で示した位置とを選択的に移動して画像読取部２１により読み取られた画像データに基づいて製版を行う。
【００４４】
第１印刷部２４は、第１メインモータ２４ｅの駆動力によって図１の矢印Ａ方向に回転する第１印刷ドラム２４ａと、この第１印刷ドラム２４ａの外周面に設けられ、マスタの先端をクランプする原紙クランプ部２４ｂとを備えている。
【００４５】
本例の第１印刷ドラム２４ａは、Ａ４ドラムを装着した構成例であるため、ドラムのインク透過領域がＡ４用紙を横向きに搬送したとき（つまり、Ａ４用紙の短手方向を搬送方向に合わせて搬送したとき）に、Ａ４用紙全体に印刷可能なように形成されている。よって、図１では、軸方向から見たドラムの径の略半分がインク透過領域（ドラム面に沿った斜線部分）となっている。
【００４６】
また、第１印刷部２４は、第１印刷ドラム２４ａの基準位置を検出する第１基準位置検出部２４ｆと、第１メインモータ２４ｅの回転に応じて定周期でパルス信号を出力する第１ロータリエンコーダ２４ｇを備えており、第１基準位置検出部２４ｆにより検出された基準位置信号を基に第１ロータリエンコーダ２４ｇのパルス信号を検出することによって第１印刷ドラム２４ａの回転角度を検出して制御部３２に出力している。
【００４７】
さらに、第１印刷部２４は、用紙を反転貯留部２５へ搬送する搬送ベルト２４ｄと、第１印刷ドラム２４ａの下方位置に配置された第１プレスローラ２４ｃとを備えている。第１印刷ドラム２４ａの回転に同期して給紙部２２より給紙される用紙を第１プレスローラ２４ｃで第１印刷ドラム２４ａに着版されたマスタに圧接することで、マスタの穿孔からインクが押し出されて画像が用紙の表面に印刷されるようになっている。
【００４８】
そして、第１プレスローラ２４ｃが第１印刷ドラム２４ａに圧接することによって画像が印刷された用紙は、両面印刷の場合は両端が一対の回転軸に巻きかけられた環状の搬送ベルト２４ｄによって反転貯留部２５に搬送され、片面印刷の場合は後述する第１中間搬送ベルト２９ｃによって後段の第２印刷部２６に搬送される。
【００４９】
反転貯留部２５は、第１印刷部２４に対して用紙の搬送方向下流側に配置され、多孔構造に形成された環状の反転ベルト２５ａが半円形状に配置されている。この反転ベルト２５ａは、半円形状の補助部材２５ｂと一対のローラ２５ｃ，２５ｄに巻きかけられ、一対のローラ２５ｃ，２５ｄのうち少なくとも一方のローラが駆動モータ（不図示）で回転駆動される。また、反転ベルト２５ａの裏面側には、反転ベルト２５ａに用紙を吸着させる吸引ファン２５ｅが設けられている。この反転貯留部２５により用紙の表裏が反転され、積載台６ｆに用紙を搬送される。
【００５０】
第２印刷部２６は、第１印刷部２４と同様に、第２メインモータ２６ｅの駆動力によって図１の矢印Ａ方向に回転する第２印刷ドラム２６ａと、この第２印刷ドラム２６ａの外周面に設けられ、マスタの先端をクランプする原紙クランプ部２６ｂと、第２印刷ドラム２６ａの下方位置に配置された第２プレスローラ２６ｃと、反転貯留部２５により反転された用紙を第２印刷ドラム２６ａの回転に同期して第２印刷ドラム２６ａと第２プレスローラ２６ｃ間に搬送する一対の２次給紙ロール２６ｄとを有している。
【００５１】
本例の第２印刷ドラム２６ａは、Ａ３ドラムを装着した構成例であるため、ドラムのインク透過領域がＡ３用紙を縦向きに搬送したとき（つまり、Ａ３用紙の長手方向を搬送方向に合わせて搬送したとき）に、Ａ３用紙全体に印刷可能なように形成されている。よって、図１では、軸方向から見たドラムの径の略全体がインク透過領域（ドラム面に沿った斜線部分）となっている。
【００５２】
また、第２印刷部２６は、第１印刷部２４と同様に、第２印刷ドラム２６ａの基準位置を検出する第２基準位置検出部２６ｆと、第２印刷ドラム２６ａを駆動する第２メインモータ２６ｅの回転に応じて定周期でパルス信号を出力する第２ロータリエンコーダ２６ｇを備えており、第２基準位置検出部２６ｆにより検出された基準位置信号を基に第２ロータリエンコーダ２６ｇのパルス信号を検出することによって第２印刷ドラム２６ａの回転角度を検出して制御部３２に出力している。
【００５３】
そして、第２印刷部２６は、第１印刷部２４と同様に、第２印刷ドラム２６ａの回転に同期して一対の２次給紙ロール２６ｄより給紙される用紙を第２プレスローラ２６ｃで第２印刷ドラム２６ａに着版されたマスタに圧接することによって、マスタの穿孔からインクが押し出されて画像が用紙の裏面に印刷されるようになっている。
【００５４】
第１排版部２７は、後述する第１印刷部２４の第１印刷ドラム２４ａの外周面よりクランプ解除されたマスタを第１印刷ドラム２４ａより引き剥がし、引き剥がされたマスタを排版ボックス（図示しない）内に収納している。また、第２排版部２８は、第１排版部２７と同様に、第２印刷部２６の第２印刷ドラム２６ａの外周面よりクランプ解除されたマスタを第２印刷ドラム２６ａより引き剥がし、引き剥がされたマスタを排版ボックス（図示しない）内に収納している。
【００５５】
排紙部２９は、印刷された用紙が搬送される排紙ベルト２９ａと、排紙ベルト２９ａより排紙される用紙が積置される排紙台２９ｂと、第１印刷部２４から両面印刷せずに搬出される用紙を後段に搬出する第１中間搬送ベルト２９ｃと、積載台２５ｆに複数枚積載された用紙を１枚ずつ吸引しながら搬出する第２中間搬送ベルト２９ｄと、第２中間搬送ベルト２９ｄにより搬出された用紙を第２印刷部２６に搬送する一対のローラ２９ｅとを有している。
【００５６】
操作設定部３０は、孔版印刷装置２０の上部に設けられ、各種表示画面を表示する液晶表示パネルの前面に配置された感圧式あるいは静電式の透明なタッチパネルと、製版・印刷等の開始／停止を入力する選択キーや印刷枚数等を入力するためのテンキー等の各種操作キーとを備え、液晶表示パネルに表示された表示内容を見ながらユーザによる操作に基づく操作信号を制御部３２に出力する。
【００５７】
記憶部３１は、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成され、孔版印刷装置２０を構成する各部の駆動制御情報を記憶している。
【００５８】
制御部３２は、例えばＣＰＵ（Central Processing Unit ）やＲＯＭ（Read Only Memory），ＲＡＭ（Random Access Memory）又はこれらの機能を具備するＭＰＵ（Micro-Processing Unit ）等のプロセッサで構成され、操作設定部３０からの操作信号、情報処理端末１０からの印刷ジョブ、記憶部３１に記憶される各種駆動制御情報等に応じて印刷処理を始めとする孔版印刷装置２０の各種駆動制御を行っている。
【００５９】
通信部３３は、ＬＡＮ等の通信ネットワークを介して孔版印刷装置２０と有線若しくは無線接続するための通信インタフェースで構成され、情報処理端末１０から印刷処理時に必要な各種データ（印刷ジョブ等）の送受信を行っている。また、通信部３３は、ＵＳＢメモリ等の各種外部記憶媒体と接続する入出力ポート（Ｉ／Ｏポート）も備えており、予め作成された印刷ジョブを接続された外部記憶媒体から読み込むと記憶部３１に出力している。
【００６０】
［処理動作について］
次に、上述した印刷システム１における処理動作について図３〜図１０を参照しながら説明する。ここでは、上述した情報処理端末１０による印刷データ作成時の処理動作例であり、作成する印刷データがどのようなデータであるかを確認した後に、そのデータに合わせた分版処理を行うため、まず上述した分版処理実行判断プログラムを実施して作成する印刷データの種類を判断してから分版処理を実施している。
【００６１】
なお、図３〜図７に示すフローチャートでは、分版処理プログラムの処理内容に対応するように、「面付けなし印刷時の分版処理動作」、「単色割付印刷時の処理動作」、「多色割付印刷時の分版処理動作」、「単色集約印刷時の処理動作」、「多色集約印刷時の分版処理動作」についてそれぞれ図示している。
【００６２】
また、図８〜図１０では、第１印刷ドラム２４ａで印刷されるオブジェクトと、第２印刷ドラム２６ａで印刷されるオブジェクトを分かりやすく例示するため、第１印刷ドラム２４ａと第２印刷ドラム２６ａで印刷が重なる状態を表現していないが、実際の印刷物は第１印刷ドラム２４ａの印面と第２印刷ドラム２６ａの印面とが重なるオブジェクトは両ドラムによって印刷されることになる。そのため、例えば第１印刷ドラム２４ａで印刷される横線ハッチ部分に第２印刷ドラム２６ａで印刷される縦線ハッチ部分が重なって印刷されることになる。
【００６３】
＜面付けなし印刷時の分版処理動作について＞
図３に示すように、面付けなし印刷時の分版処理動作は、まず印刷ジョブの送信先である孔版印刷装置２０に最大印面サイズの異なる印刷ドラムが装着されているかを確認する（ＳＴ１）。
このとき、サイズの異なる印刷ドラムが装着されているときは（ＳＴ１−Ｙｅｓ）、次に出力サイズが小さい版サイズの印刷ドラム（本例では第１印刷ドラム２４ａ）の印面サイズよりも大きいか否かを判断する（ＳＴ２）。
一方、サイズの異なる印刷ドラムが装着されていないときは（ＳＴ１−Ｎｏ）、原稿データ内にあるオブジェクトを従来通り分版処理して印刷データを作成し（ＳＴ１３）、処理を終了する。
【００６４】
ＳＴ２において、出力サイズが小さい方の印刷ドラムの印面サイズよりも大きいときは（ＳＴ２−Ｙｅｓ）、次に印刷データ作成条件として面付け印刷するか否かを判断する（ＳＴ３）。
一方、出力サイズが小さい方の印刷ドラムの印面サイズよりも小さいときは（ＳＴ２−Ｎｏ）、原稿データ内にあるオブジェクトを従来通り分版処理して印刷データを作成し（ＳＴ１３）、処理を終了する。
【００６５】
ＳＴ３において、印刷データ作成条件として面付け印刷するときは（ＳＴ３−Ｙｅｓ）、割付印刷又は集約印刷を行うため、後述する「単色割付印刷時の処理動作」のＳＴ２４、「多色割付印刷時の分版処理動作」のＳＴ４４、「単色集約印刷時の処理動作」のＳＴ６４、「多色集約印刷時の分版処理動作」のＳＴ８４の何れかの処理動作に移行する。
一方、印刷データ作成条件として面付け印刷しないときは（ＳＴ３−Ｎｏ）、原稿データ１枚を用紙１枚に印刷する面付けなし印刷であることが確認されるため、原稿データにあるオブジェクトの座標位置を取得し（ＳＴ４）、このオブジェクトが小さい版サイズの印刷ドラム（第１印刷ドラム２４ａ）の印面サイズに収まるか否かを判断する（ＳＴ５）。
【００６６】
このとき、対象とするオブジェクトが第１印刷ドラム２４ａの印面サイズに収まるときは（ＳＴ５−Ｙｅｓ）、オブジェクト毎に指定された印刷ドラムで印刷するように分版し（ＳＴ６）、原稿データ内にある全てのオブジェクトについて分版処理を行ったか否かを判断する（ＳＴ１０）。
一方、対象とするオブジェクトが第１印刷ドラム２４ａの印面サイズに収まらないときは（ＳＴ５−Ｎｏ）、次に収まらないオブジェクトのはみ出し範囲が記憶部１２に記憶されたはみ出し許容値以内であるか否かを判断する（ＳＴ７）。
【００６７】
このとき、収まらないオブジェクトのはみ出し範囲がはみ出し許容値以内のときは（ＳＴ７−Ｙｅｓ）、第１印刷ドラム２４ａの印面サイズに収まるように該当するオブジェクトを移動する（ＳＴ８）。つまり、図８（ａ）に示すように原稿データの出力サイズがＡ３サイズとすると、図８（ｂ）に示すように真ん中のオブジェクトがＡ４ドラムである第１印刷ドラム２４ａの印面とＡ３ドラムである第２印刷ドラム２６ａの印面にそれぞれが重なっているため、オブジェクトのはみ出し範囲がはみ出し許容値以内のときは、図８（ｃ）に示すように該当するオブジェクトを第１印刷ドラム２４ａの印面に収まるように移動して第１印刷ドラム２４ａで印刷されるように分版する。なお、オブジェクトのはみ出し範囲がはみ出し許容値以内であったときは、分版に際し該当するオブジェクトが自動的に移動されるため、このことをユーザに通知（例えば、オブジェクト移動前と移動後のイメージ画像の通知や文字や音声による案内通知等）して印刷後の仕上がりが印刷データ作成条件と異なることを通知するようにしてもよい。
そして、原稿データ内にある全てのオブジェクトについて分版処理を行ったか否かを判断する（ＳＴ１０）。
【００６８】
一方、オブジェクトのはみ出し範囲がはみ出し許容値を超えているときは（ＳＴ７−Ｎｏ）、分版せずに大きな版サイズの第２印刷ドラム２６ａで印刷するオブジェクトと判断して第２印刷ドラム２６ａで印刷されるように分版する（ＳＴ９）。つまり、図８（ｄ）に示すように真ん中のオブジェクトが第２印刷ドラム２６ａで印刷されるように分版する。なお、オブジェクトのはみ出し範囲がはみ出し許容値を超えているときは、第２印刷ドラム２６ａのみで印刷され単色印刷となるため、例えば印刷データ作成条件として多色印刷指定されていたときは単色印刷に変更されることをユーザに通知（例えば、単色印刷のイメージ画像の通知や文字や音声による案内通知等）するようにしてもよい。
そして、原稿データ内にある全てのオブジェクトについて分版処理を行ったか否かを判断する（ＳＴ１０）。
【００６９】
ＳＴ１０において、原稿データ内にある全てのオブジェクトについて分版処理を行ったときは（ＳＴ１０−Ｙｅｓ）、全てのオブジェクトを分版処理した原稿データから面付けなし印刷データを作成して（ＳＴ１１）、処理を終了する。
一方、原稿データ内にある全てのオブジェクトについて分版処理を行っていないときは（ＳＴ１０−Ｎｏ）、原稿データ内の次のオブジェクトを選択し（ＳＴ１２）、次のオブジェクトに対する分版処理に移行するため、再度ＳＴ４に戻る。
【００７０】
＜単色割付印刷時の処理動作について＞
図４に示すように、単色割付印刷時の処理動作は、まず印刷ジョブの送信先である孔版印刷装置２０に最大印面サイズの異なる印刷ドラムが装着されているかを確認する（ＳＴ２１）。
このとき、サイズの異なる印刷ドラムが装着されているときは（ＳＴ２１−Ｙｅｓ）、次に出力サイズが小さい版サイズの印刷ドラム（第１印刷ドラム２４ａ）の印面サイズよりも大きいか否かを判断する（ＳＴ２２）。
一方、サイズの異なる印刷ドラムが装着されていないときは（ＳＴ２１−Ｎｏ）、原稿データ内にあるオブジェクトを従来通り分版処理して印刷データを作成し（ＳＴ３１）、処理を終了する。
【００７１】
ＳＴ２２において、出力サイズが小さい方の印刷ドラムの印面サイズよりも大きいときは（ＳＴ２２−Ｙｅｓ）、次に印刷データ作成条件として面付け印刷するか否かを判断する（ＳＴ２３）。
一方、出力サイズが小さい方の印刷ドラムの印面サイズよりも小さいときは（ＳＴ２２−Ｎｏ）、原稿データ内にあるオブジェクトを従来通り分版処理して印刷データを作成し（ＳＴ３１）、処理を終了する。
【００７２】
ＳＴ２３において、印刷データ作成条件として面付け印刷するときは（ＳＴ２３−Ｙｅｓ）、次に面付け印刷として割付印刷を行うか否かを判断する（ＳＴ２４）。
一方、印刷データ作成条件として面付け印刷しないときは（ＳＴ２３−Ｎｏ）、原稿データ１枚を用紙１枚に印刷する面付けなし印刷であることが確認されるため、上述した面付けなし印刷時の分版処理動作におけるＳＴ４に進み、面付けなし印刷時の分版処理動作を行う。
【００７３】
ＳＴ２４において、面付け印刷として割付印刷を行うときは（ＳＴ２４−Ｙｅｓ）、次に用紙１ページに割り付ける全ての面を単色印刷するか否かを判断する（ＳＴ２５）。
一方、面付け印刷として割付印刷を行わないとき（つまり、集約印刷を行うとき）は（ＳＴ２４−Ｎｏ）、後述する「単色集約印刷時の処理動作」のＳＴ６５又は「多色集約印刷時の分版処理動作」のＳＴ８５の何れかの処理動作に移行する。
【００７４】
ＳＴ２５において、用紙１ページに割り付ける全ての面を単色印刷するときは（ＳＴ２５−Ｙｅｓ）、大きな版サイズの印刷ドラム（第２印刷ドラム２６ａ）による単色割付印刷を行う印刷データを作成するため、用紙における１面目に割り付ける原稿データのオブジェクトを配置する（ＳＴ２６）。そして、原稿データ内にある全てのオブジェクトについて配置したか否かを判断する（ＳＴ２７）
一方、用紙１ページに割り付ける全ての面を単色印刷しないとき（つまり、多色割付印刷するとき）は（ＳＴ２５−Ｎｏ）、後述する「多色割付印刷時の分版処理動作」のＳＴ４６へと移行する。
【００７５】
ＳＴ２７において、原稿データ内にある全てのオブジェクトを配置したときは（ＳＴ２７−Ｙｅｓ）、１面目の印刷データを割り付け面数に応じて用紙１ページの他の面に複製し（ＳＴ２９）、単色割付印刷データを作成して（ＳＴ３０）、処理を終了する。
一方、原稿データ内にある全てのオブジェクトを配置していないときは（ＳＴ２７−Ｎｏ）、原稿データ内の次のオブジェクトを選択し（ＳＴ２８）、１面目に配置する処理に移行するため、再度ＳＴ２６に戻る。
【００７６】
＜多色割付印刷時の分版処理動作について＞
図５に示すように、多色割付印刷時の分版処理動作は、まず印刷ジョブの送信先である孔版印刷装置２０に最大印面サイズの異なる印刷ドラムが装着されているかを確認する（ＳＴ４１）。
このとき、サイズの異なる印刷ドラムが装着されているときは（ＳＴ４１−Ｙｅｓ）、次に出力サイズが小さい版サイズの印刷ドラム（第１印刷ドラム２４ａ）の印面サイズよりも大きいか否かを判断する（ＳＴ４２）。
一方、サイズの異なる印刷ドラムが装着されていないときは（ＳＴ４１−Ｎｏ）、原稿データ内にあるオブジェクトを従来通り分版処理して印刷データを作成し（ＳＴ５８）、処理を終了する。
【００７７】
ＳＴ４２において、出力サイズが小さい方の印刷ドラムの印面サイズよりも大きいときは（ＳＴ４２−Ｙｅｓ）、次に印刷データ作成条件として面付け印刷するか否かを判断する（ＳＴ４３）。
一方、出力サイズが小さい方の印刷ドラムの印面サイズよりも小さいときは（ＳＴ４２−Ｎｏ）、原稿データ内にあるオブジェクトを従来通り分版処理して印刷データを作成し（ＳＴ５８）、処理を終了する。
【００７８】
ＳＴ４３において、印刷データ作成条件として面付け印刷するときは（ＳＴ４３−Ｙｅｓ）、次に面付け印刷として割付印刷を行うか否かを判断する（ＳＴ４４）。
一方、印刷データ作成条件として面付け印刷しないときは（ＳＴ４３−Ｎｏ）、原稿データ１枚を用紙１枚に印刷する面付けなし印刷であることが確認されるため、上述した面付けなし印刷時の分版処理動作におけるＳＴ４に進み、面付けなし印刷時の分版処理動作を行う。
【００７９】
ＳＴ４４において、面付け印刷として割付印刷を行うときは（ＳＴ４４−Ｙｅｓ）、次に用紙１ページに割り付ける全ての面を単色印刷するか否かを判断する（ＳＴ４５）。
一方、面付け印刷として割付印刷を行わないとき（つまり、集約印刷を行うとき）は（ＳＴ４４−Ｎｏ）、後述する「単色集約印刷時の処理動作」のＳＴ６５又は「多色集約印刷時の分版処理動作」のＳＴ８５の何れかの処理動作に移行する。
【００８０】
ＳＴ４５において、用紙１ページに割り付ける全ての面を単色印刷するときは（ＳＴ４５−Ｙｅｓ）、大きな版サイズの印刷ドラム（第２印刷ドラム２６ａ）による割付印刷を行う印刷データを作成するため、上述した単色割付印刷時の処理動作におけるＳＴ２６に進み、単色割付印刷時の処理動作を行う。
一方、用紙１ページに割り付ける全ての面を単色印刷しないとき（つまり、多色割付印刷するとき）は（ＳＴ４５−Ｎｏ）、印刷データ作成条件に含まれる割り付け面数に応じて原稿データを出力する用紙の被印刷用紙画像イメージに対して仮割り付け処理を行う（ＳＴ４６）。そして、仮割り付け処理した１面目から順に原稿データ内にあるオブジェクトの座標位置を取得し（ＳＴ４７）、このオブジェクトが小さい版サイズの印刷ドラム（第１印刷ドラム２４ａ）の印面サイズに収まるか否かを判断する（ＳＴ４８）。
【００８１】
このとき、対象とするオブジェクトが第１印刷ドラム２４ａの印面サイズに収まるときは（ＳＴ４８−Ｙｅｓ）、オブジェクト毎に指定された印刷ドラムで印刷するように分版し（ＳＴ４９）、原稿データ内にある全てのオブジェクトについて分版処理を行ったか否かを判断する（ＳＴ５３）。
一方、対象とするオブジェクトが第１印刷ドラム２４ａの印面サイズに収まらないときは（ＳＴ４８−Ｎｏ）、次に収まらないオブジェクトのはみ出し範囲が記憶部１２に記憶されたはみ出し許容値以内であるか否かを判断する（ＳＴ５０）。
【００８２】
このとき、収まらないオブジェクトのはみ出し範囲がはみ出し許容値以内のときは（ＳＴ５０−Ｙｅｓ）、第１印刷ドラム２４ａの印面サイズに収まるように該当するオブジェクトを移動する（ＳＴ５１）。つまり、図９（ａ）に示すようにＡ３用紙に対し原稿データを９面割り付けたとすると、図９（ｂ）に示すように真ん中の列の各面における真ん中のオブジェクトが、Ａ４ドラムである第１印刷ドラム２４ａの印面とＡ３ドラムである第２印刷ドラム２６ａの印面にそれぞれが重なっている。そこで、オブジェクトのはみ出し範囲がはみ出し許容値以内のときは、図９（ｃ）に示すように該当するオブジェクトを第１印刷ドラム２４ａの印面に収まるように移動して第１印刷ドラム２４ａで印刷されように分版する。なお、オブジェクトのはみ出し範囲がはみ出し許容値以内であったときは、分版に際し該当するオブジェクトが自動的に移動されるため、このことをユーザに通知（例えば、オブジェクト移動前と移動後のイメージ画像の通知や文字や音声による案内通知等）して印刷後の仕上がりが印刷データ作成条件と異なることを通知するようにしてもよい。
そして、原稿データ内にある全てのオブジェクトについて分版処理を行ったか否かを判断する（ＳＴ５３）。
【００８３】
一方、オブジェクトのはみ出し範囲がはみ出し許容値を超えているときは（ＳＴ５０−Ｎｏ）、分版せずに大きな版サイズの第２印刷ドラム２６ａで印刷するオブジェクトと判断して第２印刷ドラム２６ａで印刷されるように分版する（ＳＴ５２）つまり、図９（ｄ）に示すように真ん中の列の各面における真ん中のオブジェクトが第２印刷ドラム２６ａで印刷されるように分版する。なお、オブジェクトのはみ出し範囲がはみ出し許容値を超えているときは、第２印刷ドラム２６ａのみで印刷され単色印刷となるため、例えば印刷データ作成条件として多色印刷指定されていたときは単色印刷に変更されることをユーザに通知（例えば、単色印刷のイメージ画像の通知や文字や音声による案内通知等）するようにしてもよい。
そして、原稿データ内にある全てのオブジェクトについて分版処理を行ったか否かを判断する（ＳＴ５３）。
【００８４】
ＳＴ５３において、原稿データ内にある全てのオブジェクトについて分版処理を行ったときは（ＳＴ５３−Ｙｅｓ）、次に仮割り付け処理した全ての面について分版処理を行ったか否かを判断する（ＳＴ５４）。
一方、原稿データ内にある全てのオブジェクトについて分版処理を行っていないときは（ＳＴ５３−Ｎｏ）、原稿データ内の次のオブジェクトを選択し（ＳＴ５５）、選択した次のオブジェクトに対する分版処理に移行するため、再度ＳＴ４７に戻る。
【００８５】
ＳＴ５４において、仮割り付け処理した全ての面について分版処理を行ったときは（ＳＴ５４−Ｙｅｓ）、被印刷用紙画像イメージに対して仮割り付けして分版処理した全ての面の印刷データを多色割付印刷データとして作成して（ＳＴ５７）、処理を終了する。
一方、仮割り付け処理した全ての面について分版処理を行っていないときは（ＳＴ５４−Ｎｏ）、仮割り付けした次の面を選択し（ＳＴ５６）、この面の原稿データ内のオブジェクトに対する分版処理に移行するため、再度ＳＴ４７に戻る。
【００８６】
＜単色集約印刷時の処理動作について＞
図６に示すように、単色集約印刷時の処理動作は、まず印刷ジョブの送信先である孔版印刷装置２０に最大印面サイズの異なる印刷ドラムが装着されているかを確認する（ＳＴ６１）。
このとき、サイズの異なる印刷ドラムが装着されているときは（ＳＴ６１−Ｙｅｓ）、次に出力サイズが小さい版サイズの印刷ドラム（第１印刷ドラム２４ａ）の印面サイズよりも大きいか否かを判断する（ＳＴ６２）。
一方、サイズの異なる印刷ドラムが装着されていないときは（ＳＴ６１−Ｎｏ）、原稿データ内にあるオブジェクトを従来通り分版処理して印刷データを作成し（ＳＴ７２）、処理を終了する。
【００８７】
ＳＴ６２において、出力サイズが小さい方の印刷ドラムの印面サイズよりも大きいときは（ＳＴ６２−Ｙｅｓ）、次に印刷データ作成条件として面付け印刷するか否かを判断する（ＳＴ６３）。
一方、出力サイズが小さい方の印刷ドラムの印面サイズよりも小さいときは（ＳＴ６２−Ｎｏ）、原稿データ内にあるオブジェクトを従来通り分版処理して印刷データを作成し（ＳＴ７２）、処理を終了する。
【００８８】
ＳＴ６３において、印刷データ作成条件として面付け印刷するときは（ＳＴ６３−Ｙｅｓ）、次に面付け印刷として集約印刷を行うか否かを判断する（ＳＴ６４）。
一方、印刷データ作成条件として面付け印刷しないときは（ＳＴ６３−Ｎｏ）、原稿データ１枚を用紙１枚に印刷する面付けなし印刷であることが確認されるため、上述した面付けなし印刷時の分版処理動作におけるＳＴ４に進み、面付けなし印刷時の分版処理動作を行う。
【００８９】
ＳＴ６４において、面付け印刷として集約印刷を行うときは（ＳＴ６４−Ｙｅｓ）、次に用紙１ページに集約する全ての面を単色印刷するか否かを判断する（ＳＴ６５）。
一方、面付け印刷として集約印刷を行わないとき（つまり、割付印刷を行うとき）は（ＳＴ６４−Ｎｏ）、上述する「単色割付印刷時の処処理動作」のＳＴ２５又は「多色割付印刷時の分版処理動作」のＳＴ４５の何れかの処理動作に移行する。
【００９０】
ＳＴ６５において、用紙１ページに集約する全ての面を単色印刷するときは（ＳＴ６５−Ｙｅｓ）、大きな版サイズの印刷ドラム（第２印刷ドラム２６ａ）による単色集約印刷を行う印刷データを作成するため、選択した原稿データ（通常は原稿の１ページ目）内のオブジェクトを配置する（ＳＴ６６）。なお、原稿ページの選択される順は、原稿ページがＮページある場合に１ページ目から順に選択される。そして、原稿データ内にある全てのオブジェクトを配置したか否かを判断する（ＳＴ６７）。
一方、用紙１ページに集約する全ての面を単色印刷しないとき（つまり、多色集約印刷するとき）は（ＳＴ６５−Ｎｏ）、後述する「多色集約印刷時の分版処理動作」のＳＴ８６へと移行する。
【００９１】
ＳＴ６７において、選択した原稿データ内にある全てのオブジェクトを配置したときは（ＳＴ６７−Ｙｅｓ）、次に原稿Ｎページ分全ての印刷データにおけるオブジェクトの配置処理をしたか否かを判断する（ＳＴ６８）。
一方、原稿データ内にある全てのオブジェクトを配置していないときは（ＳＴ６７−Ｎｏ）、選択中の原稿データ内の次のオブジェクトを選択し（ＳＴ６９）、選択された次のオブジェクトに対する配置処理に移行するため、再度ＳＴ６６に戻る。
【００９２】
ＳＴ６８において、原稿Ｎページ分全ての印刷データにおけるオブジェクトの配置処理をしたときは（ＳＴ６８−Ｙｅｓ）、原稿Ｎページ分全ての印刷データを用紙１ページに割り当てた単色集約印刷データを作成して（ＳＴ７０）、処理を終了する。
一方、原稿Ｎページ分全ての印刷データにおけるオブジェクトの配置処理をしていないときは（ＳＴ６８−Ｎｏ）、次の原稿ページを選択し（ＳＴ７１）、この原稿ページ内のオブジェクトに対する配置処理に移行するため、再度ＳＴ６６に戻る。
【００９３】
＜多色集約印刷時の分版処理動作について＞
図７に示すように、多色集約印刷時の分版処理動作は、まず印刷ジョブの送信先である孔版印刷装置２０に最大印面サイズの異なる印刷ドラムが装着されているかを確認する（ＳＴ８１）。
このとき、サイズの異なる印刷ドラムが装着されているときは（ＳＴ８１−Ｙｅｓ）、次に出力サイズが小さい版サイズの印刷ドラム（第１印刷ドラム２４ａ）の印面サイズよりも大きいか否かを判断する（ＳＴ８２）。
一方、サイズの異なる印刷ドラムが装着されていないときは（ＳＴ８１−Ｎｏ）、原稿データ内にあるオブジェクトを従来通り分版処理して印刷データを作成し（ＳＴ９８）、処理を終了する。
【００９４】
ＳＴ８２において、出力サイズが小さい方の印刷ドラムの印面サイズよりも大きいときは（ＳＴ８２−Ｙｅｓ）、次に印刷データ作成条件として面付け印刷するか否かを判断する（ＳＴ８３）。
一方、出力サイズが小さい方の印刷ドラムの印面サイズよりも小さいときは（ＳＴ８２−Ｎｏ）、原稿データ内にあるオブジェクトを従来通り分版処理して印刷データを作成し（ＳＴ９８）、処理を終了する。
【００９５】
ＳＴ８３において、印刷データ作成条件として面付け印刷するときは（ＳＴ８３−Ｙｅｓ）、次に面付け印刷として集約印刷を行うか否かを判断する（ＳＴ８４）。
一方、印刷データ作成条件として面付け印刷しないときは（ＳＴ８３−Ｎｏ）、原稿データ１枚を用紙１枚に印刷する面付けなし印刷であることが確認されるため、上述した面付けなし印刷時の分版処理動作におけるＳＴ４に進み、面付けなし印刷時の分版処理動作を行う。
【００９６】
ＳＴ８４において、面付け印刷として集約印刷を行うときは（ＳＴ８４−Ｙｅｓ）、次に用紙１ページに集約する全ての面を単色印刷するか否かを判断する（ＳＴ８５）。
一方、面付け印刷として集約印刷を行わないとき（つまり、割付印刷を行うとき）は（ＳＴ８４−Ｎｏ）、上述する「単色割付印刷時の処理動作」のＳＴ２５又は「多色割付印刷時の分版処理動作」のＳＴ４５の何れかの処理動作に移行する。
【００９７】
ＳＴ８５において、用紙１ページに集約する全ての面を単色印刷するときは（ＳＴ８５−Ｙｅｓ）、大きな版サイズの印刷ドラム（第２印刷ドラム２６ａ）による単色集約印刷を行う印刷データを作成するため、上述した単色集約印刷時の処理動作におけるＳＴ６６へと移行する。
一方、用紙１ページに集約する全ての面を単色印刷しないとき（つまり、多色集約印刷するとき）は（ＳＴ８５−Ｎｏ）、選択した原稿データ（通常は原稿の１ページ目）内のオブジェクトの座標位置を取得し（ＳＴ８６）、このオブジェクトが小さい版サイズの印刷ドラム（第１印刷ドラム２４ａ）の印面サイズに収まるか否かを判断する（ＳＴ８７）。
【００９８】
このとき、対象とするオブジェクトが第１印刷ドラム２４ａの印面サイズに収まるときは（ＳＴ８７−Ｙｅｓ）、オブジェクト毎に指定された印刷ドラムで印刷するように分版し（ＳＴ８８）、原稿データ内にある全てのオブジェクトについて分版処理を行ったか否かを判断する（ＳＴ９２）。
一方、対象とするオブジェクトが第１印刷ドラム２４ａの印面サイズに収まらないときは（ＳＴ８７−Ｎｏ）、次に収まらないオブジェクトのはみ出し範囲が記憶部１２に記憶されたはみ出し許容値以内であるか否かを判断する（ＳＴ８９）。
【００９９】
このとき、収まらないオブジェクトのはみ出し範囲がはみ出し許容値以内のときは（ＳＴ８９−Ｙｅｓ）、第１印刷ドラム２４ａの印面サイズに収まるように該当するオブジェクトを移動する（ＳＴ９０）。つまり、図１０（ａ）に示すようにＡ３用紙に対し原稿データ９ページ分を集約したとすると、図１０（ｂ）に示すように真ん中の列の各面における真ん中のオブジェクトが、Ａ４ドラムである第１印刷ドラム２４ａの印面とＡ３ドラムである第２印刷ドラム２６ａの印面にそれぞれ重なっている。そこで、オブジェクトのはみ出し範囲がはみ出し許容値以内のときは、図１０（ｃ）に示すように該当するオブジェクトを第１印刷ドラム２４ａの印面に収まるように移動して第１印刷ドラム２４ａで印刷されるように分版する。なお、オブジェクトのはみ出し範囲がはみ出し許容値以内であったときは、分版に際し該当するオブジェクトが自動的に移動されるため、このことをユーザに通知（例えば、オブジェクト移動前と移動後のイメージ画像の通知や文字や音声による案内通知等）して印刷後の仕上がりが印刷データ作成条件と異なることを通知するようにしてもよい。
そして原稿データ内にある全てのオブジェクトについて分版処理を行ったか否かを判断する（ＳＴ９２）。
【０１００】
一方、オブジェクトのはみ出し範囲がはみ出し許容値を超えているときは（ＳＴ８９−Ｎｏ）、分版せずに大きな版サイズの第２印刷ドラム２６ａで印刷するオブジェクトと判断して第２印刷ドラム２６ａで印刷されるように分版する（ＳＴ９１）。つまり、図１０（ｄ）に示すように真ん中の列の各面における真ん中のオブジェクトが第２印刷ドラム２６ａで印刷されるように分版する。なお、オブジェクトのはみ出し範囲がはみ出し許容値を超えているときは、第２印刷ドラム２６ａのみで印刷され単色印刷となるため、例えば印刷データ作成条件として多色印刷指定されていたときは単色印刷に変更されることをユーザに通知（例えば、単色印刷のイメージ画像の通知や文字や音声による案内通知等）するようにしてもよい。
そして、原稿データ内にある全てのオブジェクトについて分版処理を行ったか否かを判断する（ＳＴ９２）。
【０１０１】
ＳＴ９２において、選択した原稿データ内にある全てのオブジェクトを分版処理したときは（ＳＴ９２−Ｙｅｓ）、次に原稿Ｎページ分全ての印刷データにおけるオブジェクトの分版処理をしたか否かを判断する（ＳＴ９３）。
一方、原稿データ内にある全てのオブジェクトを分版していないときは（ＳＴ９２−Ｎｏ）、選択中の原稿データ内の次のオブジェクトを選択し（ＳＴ９４）、選択された次のオブジェクトに対する分版処理に移行するため、再度ＳＴ８６に戻る。
【０１０２】
ＳＴ９３において、原稿Ｎページ分全ての印刷データにおけるオブジェクトの分版処理をしたときは（ＳＴ９３−Ｙｅｓ）、原稿Ｎページ分全ての印刷データを用紙１ページに集約した多色集約印刷データを作成して（ＳＴ９６）、処理を終了する。
一方、原稿Ｎページ分全ての印刷データにおけるオブジェクトの分版処理をしていないときは（ＳＴ９３−Ｎｏ）、次の原稿ページを選択し（ＳＴ９７）、この原稿ページ内のオブジェクトに対する分版処理に移行するため、再度ＳＴ８６に戻る。
【０１０３】
以上説明したように、上述した印刷システム１００では、印刷データ作成装置として機能する情報処理端末１０にインストールされたプリンタドライバを起動し、印刷ジョブに含まれる印刷データ作成条件に基づいて面付けなし印刷、割付印刷、集約印刷の何れの印刷かを判断し、さらに印刷物が単色又は多色かを判断した上で分版処理プログラム（面付けなし印刷分版処理プログラム、割付印刷分版処理プログラム、集約印刷分版処理プログラム）を実行する。
【０１０４】
そして、情報処理端末１０が分版処理プログラムを実行し、原稿データ内のオブジェクトが最も小さい版サイズの印刷ドラムの印面に収まらないときに、このオブジェクトのはみ出し範囲が予め設定されたはみ出し許容値以内であると判断したときは、オブジェクトをこの印刷ドラムの印面に収まるように移動して分版処理し、オブジェクトのはみ出し範囲がはみ出し許容値を超えたと判断したときはオブジェクトが印面に収まる印刷ドラムで印刷させるための印刷データを作成する。
【０１０５】
これにより、最大印面サイズの異なる印刷ドラムが複数装着された孔版印刷装置２０において装着された印刷ドラムの印面サイズに応じて適宜分版した印刷データを作成することができるため、印刷した際に、印刷物に不自然な境目の発生や必要なオブジェクトが印刷されないといった問題を防止することができる。また、原稿データ内に存在するオブジェクトのはみ出し範囲量に応じて自動的にオブジェクトが移動された印刷データが作成されるため、ユーザは孔版印刷装置２０に装着される印刷ドラムのドラムサイズを意識することなく良好な印刷物を得ることができる。
【０１０６】
［その他の実施形態について］
なお、本発明は上述した実施形態に限定されるものではなく、例えば以下に示すように使用環境等に応じて適宜変更して実施することもできる。また、以下の変更例を本発明の要旨を逸脱しない範囲の中で任意に組み合わせて実施することもできる。
【０１０７】
上述した形態では、記憶部１２及び制御部１３を搭載した情報処理端末１０を印刷データ処理装置とした実施例で説明したが、これに限定されることはない。例えば、孔版印刷装置２０に搭載された記憶部３１に分版処理プログラムを実行するためのソフトウェアを記憶させ、制御部３２でこのソフトウェアを起動して分版処理プログラムを実行する構成とすることで、例えば紙原稿を画像読取部２１で読み込んで操作設定部３０で印刷データ作成条件を設定しながら印刷データを作成する印刷データ作成機能と孔版印刷機能とを兼備する装置を提供することができる。
【０１０８】
また、上述した分版処理プログラム（「分版処理実行判断プログラム」、「面付けなし印刷分版処理プログラム」、「割付印刷分版処理プログラム」、「集約印刷分版処理プログラム」）を実行するためのソフトウェアであるプリンタドライバをインストールするだけでなく、分版処理プログラムを実行したときに実施される各処理内容を実施して印刷ジョブに含まれる印刷データ作成条件に基づき印刷データを作成する機能を情報処理端末１０の制御部１３又は孔版印刷装置２０の制御部３２に初めから具備する構成とすることもできる。これによれば、情報処理端末１０又は孔版印刷装置２０がそれぞれ印刷データ作成装置として機能するため、本実施例と同様の処理動作が実施可能となり、当然の如く、上述した実施例と同様の効果を奏することができる。
【０１０９】
すなわち、図１１に示すように、情報処理端末１０の制御部１３又は孔版印刷装置２０の制御部３２は、分版処理プログラムと同様の処理を実行するにあたり、原稿データの出力サイズが孔版印刷装置２０に装着される印刷ドラムのうち最も小さい版サイズの印刷ドラムの印面サイズよりも大きいか否かを判断する処理、原稿データの出力サイズが最も小さい版サイズの印刷ドラムの印面サイズよりも大きいと判断したときに原稿データを面付け印刷するか否かを判断する処理、オブジェクトの座標位置が最も小さい版サイズの印刷ドラムの印面内に収まっているか否かを判断する処理、オブジェクトの位置が最も小さい版サイズの印刷ドラムの印面内に収まっていないと判断されたときに最も小さい版サイズの印刷ドラムの印面からはみ出したオブジェクトのはみ出し範囲が予め設定されたはみ出し許容値以内であるか否かを判断する処理等の原稿データ、出力サイズ、孔版印刷装置２０に装着される印刷ドラムのドラムサイズを基に適正な印刷データを作製するための判断処理を適宜行う判断処理手段４１と、原稿データ内のオブジェクトの座標位置を取得する座標位置取得手段４２と、オブジェクトのはみ出し範囲がはみ出し許容値以内であると判断されたときに最も小さい版サイズの印刷ドラムの印面に収まるようにオブジェクトを移動したり、オブジェクトのはみ出し範囲が前記はみ出し許容値を超えたと判断されたときにオブジェクトが印面に収まる印刷ドラムで印刷されるように適宜分版処理するオブジェクト分版手段４３と、分版処理された原稿データを基に最も小さい版サイズの印刷ドラムとそれ以外の印刷ドラムとで分版して印刷するための印刷データ（本例では面付けなし印刷データ、多色割付印刷データ、多色集約印刷データ）や分版せずに原稿データのオブジェクトが全て収まる印刷ドラムで印刷するための印刷データ（本例では単色割付印刷データ、単色集約印刷データ）等の原稿データに適した印刷データを作成する印刷データ作成手段４４と、を備えるようにしてもよい。
【０１１０】
また、上記実施例では、第１印刷部２４にＡ４ドラムである第１印刷ドラム２４ａを装着し、第２印刷部２６にＡ３ドラムである第２印刷ドラム２６ａを装着した例で説明したが、孔版印刷装置２０として、少なくとも最大印面サイズの異なる印刷ドラムを複数装着した構成であればよいため、例えば第１印刷部２４にＡ３ドラムを装着し、第２印刷部２６にＡ４ドラムを装着してもよい。
【符号の説明】
【０１１１】
１…印刷システム
１０…情報処理端末
１１、３３…通信部
１２、３１…記憶部
１３、３２…制御部
１４…表示部
１５…入力操作部
２０…孔版印刷装置
２１…画像読取部
２２…給紙部
２３…製版部
２４…第１印刷部（２４ａ…第１印刷ドラム）
２５…反転貯留部
２６…第２印刷部（２６ａ…第２印刷ドラム）
２７…第１排版部
２８…第２排版部
２９…排紙部
３０…操作設定部
【図１】
2015123595.tif 000003
【図２】
2015123595.tif 000004
【図３】
2015123595.tif 000005
【図４】
2015123595.tif 000006
【図５】
2015123595.tif 000007
【図６】
2015123595.tif 000008
【図７】
2015123595.tif 000009
【図８】
2015123595.tif 000010
【図９】
2015123595.tif 000011
【図１０】
2015123595.tif 000012
【図１１】
2015123595.tif 000013
【図１２】
2015123595.tif 000014